(57)【要約】  計時器は、時計ケース(７，８，９)を反転可能に取り付けたフレーム(３)を含む。時計ケース(７，８，９)は、フレーム(３)内で、時計ケース(７，８，９)の側面(２４)とフレーム(３)の内側面(２５)を横切る所定の軸線(２２)を中心に回転可能である。時計ケース(７，８，９)の側面(２４)およびフレーム(３)の内側面(２５)は、フレーム(３)と時計ケース(７，８，９)との間の隙間を減少させることができるようにするために、実質的に、所定の軸線(２２)を中心とする同じ回転面の一部である。
2007510895.tif 000002
【特許請求の範囲】
【請求項１】
時計ケース(７，８，９)を反転可能な方法で取り付けるフレーム(３)を含む計時器であって、
時計ケース(７，８，９)は、時計ケース(７，８，９)の側面(２４)およびフレーム(３)の内側面(２５)を横切る所定の軸線(２２)を中心に、フレーム(３)内で回転可能であり、
時計ケース(７，８，９)およびフレーム(３)の前記側面(２４，２５)は、実質的に、所定の軸線(２２)を中心とする同じ回転面の一部である、
ことを特徴とする計時器。
【請求項２】
所定の軸線(２２)は、前記側面(２４，２５)の各々の対称軸線である、
請求項１に記載の計時器。
【請求項３】
前記側面(２４，２５)は、実質的に同じ一定の高さ(Ｈ)を有する、
請求項２に記載の計時器。
【請求項４】
前記側面(２４，２５)は、球(３１)の一部であり、球の中心は、所定の軸線(２２)上に配置された点(Ｏ)である、
請求項１ないし請求項３の何れか１項に記載の計時器。
【請求項５】
前記側面は、各々、所定の軸線(２２)の両側に配置された二つの第一対向側面部分(３２ａ，３２ｂ；３４ａ，３４ｂ)と、所定の軸線(２２)と交差し、第一側面部分(３２ａ，３２ｂ；３４ａ，３４ｂ)を相互に連結する二つの第二対向側面部分(３３ａ，３３ｂ；３５ａ，３５ｂ)とからなり、各第二側面部分は、各第一側面部分と一緒に、形状不連続性を画成する、
請求項１ないし請求項３の何れか１項に記載の計時器。
【請求項６】
フレーム(３)は、閉じられている、
請求項１ないし請求項５の何れか１項に記載の計時器。
【請求項７】
フレーム(３)は、重ね合わされて組み立てられた二つのフレーム部品(３ａ，３ｂ)からなり、二つのフレーム部品(３ａ，３ｂ)は、フレーム(３)内に時計ケース(７，８，９)の組立を可能にする、
請求項１ないし請求項６の何れか１項に記載の計時器。
【請求項８】
フレーム(３)は、半球底を有し、フレーム(３)の、二つのフレーム部品(３，３ｂ)にそれぞれ形成された二つの半孔からなる盲孔(３ｆ)を含み、この盲孔(３ｆ)は、所定の軸線(２２)を定めるピン(５)の端部(５ａ)を受け入れる、
請求項７に記載の計時器。
【請求項９】
時計ケース(７，８，９)は、ベゼル(７)と、裏カバー(８)または第二ベゼルと、を含み、該ベゼルと裏カバーまたは第二ベゼルは、部分的にベゼル(７)に、部分的に裏カバー(８)または第二ベゼルに固定され、且つ時計ケース(７，８，９)がフレーム(３)と平行な静止位置にあるときに、フレーム(３)によって隠されるように、フレーム(３)の内側面(２５)に面する少なくとも一つの要素によって組み立てられる、
請求項１ないし請求項８の何れか１項に記載の計時器。
【請求項１０】
時計ケース(７，８，９)の周囲に規則正しく分配されたいくつかの固定要素(１６)を含み、
各固定要素(１６)は、部分的にベゼル(７)に、部分的に裏カバー(８)または第二ベゼルに形成された、合致する形状の座に収容された取付ベルの形状をなし、
各固定要素(１６)は、ねじ(１０)によって、ベゼル(７)と裏カバー(８)または第二ベゼルとの間に収容された時計のムーブメント支持リング(９)に固定される、
請求項９に記載の計時器。
【請求項１１】
所定の軸線(２２)は、時計ケース(７，８，９)と関連した竜頭チューブ(６)の軸線に一致し、この竜頭チューブ(６)は、フレーム(３)の壁を横切り、時計ケース(７，８，９)に収容された第一端部(６ａ)と、フレーム(３)の外側で設定竜頭(１０)と関連した第二端部(６ｂ)と、を有する、
請求項１ないし請求項１０の何れか１項に記載の計時器。
【請求項１２】
フレーム(３)内での時計ケース(７，８，９)の回転中、フレーム(３)の内側面(２５)との摩擦または時計ケース(７，８，９)の側面(２４)との摩擦を提供するために、時計ケース(７，８，９)の側面(２４)にまたはフレーム(３)の内側面(２５)に収容された少なくとも一つの摩擦ジョイント(２８ａ，２８ｂ)をさらに含む、
請求項１ないし請求項１１の何れか１項に記載の計時器。
【請求項１３】
所定の軸線(２２)の方向における、前記側面(２４，２５)の間の遊びを抑制するために、時計ケース(７，８，９)の側面(２４)にまたはフレーム(３)の内側面(２５)に収容され、且つ所定の軸線(２２)を取り囲む、第一および第二の対向リング(２３ａ，２３ｂ)をさらに含む、
請求項１ないし請求項１２の何れか１項に記載の計時器。
【請求項１４】
時計ケース(７，８，９)は、互いに組み立てられたベゼル(７)および裏カバー(８)または第二ベゼルと、ベゼル(７)と裏カバー(８)または第二ベゼルとの間に収容された時計ムーブメント支持リング(９)と、を含み、第一および第二の環状ガスケット(２９ａ，２９ｂ)は、ベゼル(７)とリング(９)との間に、および裏カバー(８)または第二ベゼルとリング(９)との間に、それぞれ圧縮保持され、第三の環状ガスケット(３０)は、ベゼル(７)とベゼル(７)に取り付けられたガラス(１３)との間に圧縮保持される、
請求項１ないし請求項１３の何れか１項に記載の計時器。
【請求項１５】
腕輪との取り付けのための要素(２ａ，２ｂ)を備えるサポート１をさらに含み、フレーム(３)がサポート(１)の上に重ね合わされる静止位置と、時計ケース(７，８，９)をフレーム(３)内で廻せる開放位置と、をとることができるように、フレーム(３)は、その端部の一方が、サポート(１)の一端と関節連結される、
請求項１ないし請求項１４の何れか１項に記載の計時器。
【請求項１６】
静止位置においてフレーム(３)を非係止的に係止するための手段(２６ａ−２６ｄ)をさらに含む、
請求項１５に記載の計時器。
【請求項１７】
静止位置においてフレームを非係止的に係止するための前記手段は、時計ケース(７，８，９)に連結された設定竜頭(１０)の両側に配置される、サポート(１)の二つの竜頭保護突出部(１ａ，１ｂ)に収容されたラチェット要素(２６ａ−２６ｄ)からなる、
請求項１６に記載の計時器。
【請求項１８】
計時器は、腕時計からなる、
請求項１から請求項１７の何れか１項に記載の計時器。
【発明の詳細な説明】
【技術分野】
【０００１】
本発明は、反転可能な時計ケースを有する計時器に関し、より具体的には、時計ケースの文字盤が視認できる第一の位置と、裏カバーまたは時計ケースの他の文字盤が視認できる第二の位置または裏返し位置とをとることができるようにするために、フレームと、フレームに反転可能に取り付けられた時計ケースと、を有する計時器に関する。
【背景技術】
【０００２】
そのような計時器は、スイス特許181,003号、スイス特許189,911号、フランス特許733,739号の文献に記載されている。これらは全て、時計ケースが上述の二つの位置の何れかにあるとき、フレームと時計ケースとの間に隙間を残す欠点を有し、これは、計時器の審美的な外観を損なう。
【発明の開示】
【発明が解決しようとする課題】
【０００３】
本発明は、この欠点を取り除き、あるいは少なくともこれを減ずることを目指し、このために、特別な実施形態が従属項で定義される、添付の請求項１による計時器、特に腕時計を提供する。
【発明を実施するための最良の形態】
【０００４】
本発明の他の特徴および利点は、添付の図面を参照して与えられる次のより詳細な説明を読むことで明らかになる。
【０００５】
図１ないし図１０を参照すると、本発明の第一実施形態による腕時計タイプの計時器は、二つの直径方向に向かい合った端部に、腕輪（図示せず）との取り付けのための要素２ａ，２ｂを備えた、ほぼ円形形状のサポート１を含む。裏カバーのない、そしてサポート１の直径よりも大きい外径を有する環状の形状のフレーム３は、その端部の一方が、サポート１の一端にヒンジ４を介して関節連結され、静止位置では、このサポートと同心にサポート１の上に重なる（図２）。このフレーム３は、二つの部品、即ち、下方フレーム部品３ａと上方フレーム部品３ｂとからなり、これらフレーム部品は、フレーム３内に規則正しく分配され、各々、フレーム３に形成された、合致する盲ねじ孔３ｄにねじ込まれたねじ３ｃ（図７）によって組み立てられる。ねじ３ｃは、（そのうちのたった一本だけが図７には見られる）典型的には、数が４本であるが、もちろん所望ならば異なる本数であってもよい。盲ねじ孔３ｄは、フレーム３の、３ｅで表された下面に開口し、これにより、時計が使用者の腕にあり、フレーム３が静止位置にあるときにはねじ３ｃは見えない。
【０００６】
図１ないし図４からわかるように、ヒンジ４は、中央部品４ａと、フレーム３の部品、より具体的にはこのフレーム３の下方部品３ａを構成する外側部品４ｂと、これらの中央部品４ａおよび外側部品４ｂの内側に位置し、ヒンジの軸を定めるねじ４ｃとで構成される。
【０００７】
フレーム３の部品３ａおよび部品３ｂに形成され、且つヒンジ４と直角に配置される二つの補足し合ったくぼみは、フレーム３（図６）の内側へ開口する盲孔３ｆ（図６）を画成する。この盲孔３ｆは、ピン５の第一端部５ａを受け入れる。盲孔３ｆと直径方向に向かい合った側で、部品３ａおよび部品３ｂに形成された二つのさらなる補足し合ったくぼみは、竜頭チューブ６をフレーム３の壁に通す貫通孔３ｇを画成する。ピン５および竜頭チューブ６は、ベゼルまたは胴７、裏カバー８，およびリング９を含む時計ケースにしっかり固定され、フレーム３内のこの時計ケースの支持体として役立つ。より具体的には、ピン５の第二端部５ｂは、リング９にねじ込まれ、且つ接着され、これに対し、竜頭チューブ６の第一端部６ａは、同じリングに打ち込まれ、且つ接着される。竜頭チューブ６の第二端部６ｂは、フレーム３の外側の設定竜頭１０に連結される。リング９は、単一の部品からなり、そして部分的にベゼル７に、部分的に裏カバー８に形成された座、即ち、ベゼル７と裏カバー８の内面にそれぞれ形成された二つの補足し合ったくぼみによって画成された座に収容される。リング９自体は、時計ムーブメント１１および文字盤１２を収容し、文字盤１２は、ベゼル７に取り付けられたガラス１３によって覆われている。ピン５および竜頭チューブ６は、各々、リング９の座とフレーム３の内面との間で、部分的にベゼル７に、部分的に裏カバー８に形成された、直径方向に向かい合った貫通孔１４，１５を貫通する。
【０００８】
有利には、ベゼル７および裏カバー８は、ベゼル７と裏カバー８の群の周囲に沿って規則正しく分配された典型的には４つの取付ベル１６（これらのベル１６のうちの一つは、図８に表される）によって互いに取り付けられる。各々の取付ベル１６は、ほぼ円筒形状をなし、そしてその面の一つに載頭円錐形状の中央くぼみ１６ａを有する。各取付ベル１６は、完全に、部分的にベゼル７に、部分的に裏カバー８に設けられた合致する形状の座内にあり、そしてねじ１７によってこの座にしっかり保持され、ねじ１７は、ピン５および竜頭チューブ６の平面内で、ベル１６に形成された中央貫通孔１８、部分的にベゼル７に、部分的に裏カバー８に形成された貫通孔１９、を連続的に通って、リング９に形成された盲ねじ孔２０の内側まで延びる。盲ねじ孔２０は、ねじ１７のねじ端部を受け入れる。ねじ１７の頭は、完全にベル１６の中央貫通孔１８内にあり、且つこの孔１８によって画成された肩２１で当たっている。かくして、各取付ベル１６は、ベゼル７および裏カバー８の両方にしっかり固定される要素を構成する。時計の使用位置では、取付ベル１６は、フレーム３の内面に面し、したがって、図８に表されるように、このフレームによって隠される。
【０００９】
再び図６を参照すると、ピン５は、端部５ａが半球部分で終わり、端部５ｂが突出部で終わる円筒体５ｃからなる。突出部５ｂおよび円筒体５ｃの一部は、リング９に収容され、これに対して半球部分５ａおよび円筒体５ｃの一部は盲孔３ｆに自由に収容され、即ちそこに取り付けられることなく収容される。盲孔３ｆの底は、ピン５の端部５ａの形状に対応した半球形状を有する。この半球形状は、孔３ｆを作る二つの半孔の各々を、フレーム３の対応する部品３ａ，３ｂの平面に垂直に設定される球形のカッタで削ることができる点で、盲孔３ｆの実現を容易にする。ピン５と竜頭チューブ６は、一緒になって、フレーム３に対する時計ケース７，８，９の幾何学的な直径方向の回転軸線２２を定める。
【００１０】
時計ケース７，８，９をフレーム３に取り付けるこの方法は、時計ケース７，８，９を反転可能にする。かくして、時計ケース７，８，９は、フレーム３に平行な、二つの静止位置または使用位置をとることができる。図６に示す第一の位置では、文字盤１２は視認できるが、裏カバー８は隠される。第二の位置（図示せず）では、文字盤はサポート１の上面に面し、それ故に隠され、これに対し、裏カバー８の外面が視認できる。このために、裏カバー８のこの外面は、時計を宝飾品に変える、エナメルのような装飾を含む。しかし、変形例では、裏カバー８は、第二の文字盤を保持し、文字盤１２と関連したベゼル７の審美的効果とは異なる審美的効果を作る第二のベゼルによって置き換えられてもよい。
【００１１】
時計ケース７，８，９をフレーム３内で裏返す、即ち、一方の静止位置から他方の静止位置に変えるために、まず、図１に示すように、フレーム３および時計ケース７，８，９からなる群を、この群３，７，８，９が、サポート１と十分に大きい角度をなすまで、ヒンジ４によって定められた回転軸線を中心にサポート１に対して回転させる。次いで、時計ケース７，８，９を、図１０に示すように、フレーム３内でそれ自身の周りに、即ちフレーム３に対して固定された回転軸線２２を中心に、１８０°廻し、これにより、裏カバー８は、ベゼル７の位置をとり、反対にベゼル７は裏カバー８の位置をとる。次いで、フレーム３および時計ケース７，８，９からなる群をサポート１の上に折り返す。腕輪との取付のための要素２ａ，２ｂは、サポート１に固定され、フレーム３から独立しているから、時計が使用者の腕にとどまりながら時計ケース７，８，９をひっくり返すことができることに気づくであろう。
【００１２】
再び図６を参照すると、二つの金属リング２３ａ，２３ｂが、それぞれ、ピン５および竜頭チューブ６の周りで、時計ケース７，８，９の側面または周囲２４に作られた、それぞれの直径方向に向かい合ったくぼみに収容されるが、この側面２４から時計ケース７，８，９の外側にごく僅かに突出する。これらのリング２３ａ，２３ｂは、フレーム３の、２５で表される側面または内面と摩擦接触し、時計ケース７，８，９とフレーム３のそれぞれの側面２４，２５の間の軸線２２方向の遊びを抑制するのに役立ち、且つ側面２４，２５が互いに接触するのを防止するのに役立つ。環状摩擦ジョイント２８ａ，２８ｂは、リング２３ａ，２３ｂによって取り囲まれ、リング２３ａ，２３ｂによって、側面２４内で、それぞれ、ピン５の周囲と竜頭チューブ６の周囲に圧縮保持される。これらのジョイント２８ａ，２８ｂの機能は、時計ケース７，８，９がフレーム３内で不適当に廻らないようにするが、使用者によって伝えられるトルクの作用でのみ廻るようにするために、時計ケース７，８，９の回転中、フレーム３の内側面と摩擦を生じさせることである。本発明の変形例の実施形態では、これらのリング２３ａ，２３ｂとこれらのジョイント２８ａ，２８ｂは、フレーム３の内側面２５内に収容され、時計ケース７，８，９の側面２４と摩擦を生じさせる。
【００１３】
好ましくは、フレーム３を、サポート１（図２，３）に対して静止位置で非係止的に保持するために、係止手段がさらに設けられる。これらの係止手段は、有利には、竜頭１０の両側に配置され、且つ竜頭保護として機能するサポート１の二つの突出部１ａ,１ｂにそれぞれ収容される二つのボールスラスト２６ａ，２６ｂの形態をとり、これらのスラストのボール２６ｃ,２６ｄは、フレーム３の外側面に形成された、合致するくぼみ２７に、ラチェットとして係合する（図３，５，９）。他の係止手段（図示せず）が、時計ケース７，８，９を、フレーム３に対して静止位置の一方または他方に非係止的に維持するために等しく設けられてもよい。
【００１４】
本発明による時計は、ベゼル７とリング９、裏カバー８とリング９の間に圧縮保持される環状ガスケット２９ａ,２９ｂによって、また、ベゼル７とガラス１３の間に圧縮保持される環状ガスケット３０によって、防水となっている。他方で、ピン５の端部５ｂと竜頭チューブ６の端部６ａをリング９に接着するために、密封接着剤が使用される。
【００１５】
本発明によれば、時計ケース７，８，９とフレーム３との間に現れる隙間を抑制する、または少なくとも減少させるために、時計ケース７，８，９の側面２４およびフレーム３の内側面２５は、実質的に回転軸線２２を中心とする、同じ回転面３１の一部である。この方法により、時計ケース７，８，９の側面２４は、時計ケース７，８，９がフレーム３内で自分を中心とする回転運動中、フレーム３の内側面２５にぴったり合う。
【００１６】
図１ないし図１０に示した例では、回転面３１は、軸線２２上に位置した中心Ｏを有する球であり、これに対して側面２４，２５は、各々軸線２２の両側に位置した二つの平行な平面によって限定された、この球の一部分であり、軸線２２に関して対称である（図６参照）。図１１および図１２は、時計ケースの側面とフレームの内側面が各々形状の不連続性を有する、二つのさらなる実施形態を表す。明瞭のために、図１１および図１２では、時計ケースだけが表されているが、フレームの内側面は、時計ケースの側面と同じ形状を有することは理解されよう。これらの図１１および図１２で、時計ケースの側面は、回転軸線２２の両側に配置された二つの第一対向部分と、回転軸線２２に交差し、且つ第一部分を相互に連結する二つの第二対向部分とからなることは明らかである。図１１に示す実施形態では、ここでは３２ａおよび３２ｂで表される第一部分は、回転軸線２２に垂直な平面に、第一曲率半径Ｒ１と軸線２２上に配置される曲率中心Ｃ１（図１１ｂを参照）を有し、軸線２２を含み、且つ前述の平面に垂直に延びる平面に、Ｒ１よりも大きい第二曲率半径Ｒ２（図１１ｃ参照）を有する。また、３３ａおよび３３ｂで表される第二部分は、曲率半径Ｒ３（図１１ｃおよび図１１ｄ参照）を有する球であり、それらのそれぞれの曲率中心は、軸線２２上に配置される。図１２に示す実施形態では、３４ａおよび３４ｂで表される第一部分は、回転軸線２２に垂直な平面に、曲率半径Ｒ４と、軸線２２上に配置される曲率中心Ｃ４（図１２ｂ参照）と、を有し、軸線２２を含み、且つ前述の平面に垂直に延びる平面で真っ直ぐである（図１２ｃ参照）。また、３５ａおよび３５ｂで表される第二部分は、平坦であり、軸線２２に垂直である。かくして、側面３４ａ，３５ａ，３４ｂ，３５ｂは、軸線２２の両側に配置され、この軸線に平行に延びる二つの相互に平行な平面を境界とする円筒部分からなる。
【００１７】
図１ないし図１０，１１、および図１２に示す実施形態の各々では、回転軸線２２は、時計ケースの側面とフレームの内側面の対称軸であり、これらの側面は、同じ一定の高さＨ（図６参照）を有する。しかしながら、変形例では、回転軸線２２は、時計ケースの平面に垂直である、時計ケースの側面の対称平面内に配置されながら、この側面に関して偏心していてもよい、つまり、例えば、フレーム内の時計ケースの二つの静止位置のうち一つにおいて、特別な審美的外観を時計に与えるために、時計ケースの側面は、軸線２２の一方側において他方側におけるよりも高くてもよい。また、変形例では、時計ケースの側面およびフレームの内側面は、特別な審美的外観を与えるために、例えば、時計ケースの側面がフレームの内側面より高いように、異なる高さを有していてもよい。
【００１８】
さらに、図１ないし図１０に表されるように、フレームは、閉じられ、即ち、時計ケースをその全周に沿って取り囲んでいるが、本発明による時計のフレームは、変形として開いていてもよい。図１１および図１２に示す例として、フレームは、より具体的には、Ｕ字形状を有していてもよい。
【００１９】
再び図１ないし図１０を参照すると、本発明による時計は、次のように組み立てられる。
１．竜頭チューブ６をリング９に挿入し、しっかり接着し、ピン５を同じリング９にねじ込んでしっかり接着する。
２．時計ムーブメント１１および対応する側の文字盤１２をリング９に取り付ける。
３．ガラス１３およびそのスリーブ（環状ガスケット３０）をベゼル７に挿入する。
４．ガスケット２９ａをベゼル７に取り付ける。リング９，ムーブメント１１、および文字盤１２からなる群をベゼル７内に配置する。ガスケット２９ａをリング９に対して配置し、裏カバー８を位置決めする。二つの指の間にこの群７−９，１１，１２を保持しながら、取付ベル１６をそれぞれの座に配置し、次いでリング９にねじ込む。
５．群７−９，１１，１２を、フレーム３を形成する下方フレーム部品３ａおよび上方フレーム部品３ｂに配置し、次いでフレーム部品３ａ，３ｂをねじ３ｃで互いに締める。これに関し、二つのフレーム部品３ａ，３ｂの一機能は、時計ケース７−９とフレーム３との間の遊びをほとんどなくし、時計ケース７−９の側面およびフレーム３の内側面２５が回転面の一部分の形状を有するにもかかわらず、群７−９，１１，１２をフレーム３内に取り付けることができるようになることからなることに気づくであろう。
６．ボールスラスト２６ａ，２６ｂをサポート１の突出部１ａ，１ｂに挿入し、群３，７−９，１１，１２をサポート１に関節連結するために、ねじ４ｃをヒンジ部品４ａ，４ｂ内に配置する。
【図面の簡単な説明】
【００２０】
【図１】中間開放位置における本発明の第一実施形態による時計を表す側面図。
【図２】閉じた位置における本発明の第一実施形態による時計を表す側面図。
【図３】本発明の第一実施形態による時計の平面図。
【図４】本発明の第一実施形態による時計の底面図。
【図５】本発明の第一実施形態による時計の、特にこの時計の設定竜頭および竜頭保護突出部を示す部分側面図。
【図６】図３のVI-VI線に沿った、本発明の第一実施形態による時計の断面図。
【図７】図３のVII,VIII線に沿った、本発明の第一実施形態による時計の部分断面図であって、特に、時計のフレームの二つの部品を組み立てるのに役立つ雌ねじ孔と適合するねじの分解位置を表す。明瞭の理由により、時計の二つの部品を組み立てるのに役立つベルと取付ねじは図７には表されていない。
【図８】図３のVII,VIII線に沿った、本発明の第一実施形態による時計の部分断面図であって、特に、先に述べたベルと取付ねじとを表す。明瞭の理由により、図７に表された雌ねじ孔と適合するねじは、図８には表されていない。
【図９】図３のIX線に沿った、本発明の第一実施形態による時計の部分断面図。
【図１０】開放位置における本発明の第一実施形態による時計の概略斜視図。
【図１１ａ】本発明の第二実施形態による時計の時計ケースを概略的に示した斜視図。
【図１１ｂ】本発明の第二実施形態による時計の時計ケースを概略的に示した側面図。
【図１１ｃ】本発明の第二実施形態による時計の時計ケースを概略的に示した平面図。
【図１１ｄ】本発明の第二実施形態による時計の時計ケースを概略的に示した側面図。
【図１２ａ】本発明の第三実施形態による時計の時計ケースを概略的に示した斜視図。
【図１２ｂ】本発明の第三実施形態による時計の時計ケースを概略的に示した側面図。
【図１２ｃ】本発明の第三実施形態による時計の時計ケースを概略的に示した平面図。
【図１２ｄ】本発明の第三実施形態による時計の時計ケースを概略的に示した側面図。
【図１】
2007510895.tif 000003
【図２】
2007510895.tif 000004
【図３】
2007510895.tif 000005
【図４】
2007510895.tif 000006
【図５】
2007510895.tif 000007
【図６】
2007510895.tif 000008
【図７】
2007510895.tif 000009
【図８】
2007510895.tif 000010
【図９】
2007510895.tif 000011
【図１０】
2007510895.tif 000012
【図１１ａ】
2007510895.tif 000013
【図１１ｂ】
2007510895.tif 000014
【図１１ｃ】
2007510895.tif 000015
【図１１ｄ】
2007510895.tif 000016
【国際調査報告】
2007510895.tif 000017
2007510895.tif 000018
2007510895.tif 000019
2007510895.tif 000020